(57)【特許請求の範囲】
【請求項１】
ひだ付き筒状体の一端及び他端のいずれか一方若しくは両方の端縁から一部が突出するように前記ひだ付き筒状体に設けられた閉鎖フラップで一端を閉鎖して底部とするか又は他端を口部として内容物充填後に当該口部を閉鎖する紙袋本体と、前記紙袋本体の端縁から突出する前記閉鎖フラップの前記一部の表面に塗布された非水溶性のホットメルト接着剤と、前記閉鎖フラップを前記紙袋本体端部と共に折り曲げて対向する前記紙袋本体の一方の壁面に前記ホットメルト接着剤を再活性させて接着する際、前記壁面の前記閉鎖フラップが重なる部分に予め水溶性接着剤で貼着された下地紙片とから構成され、
この下地紙片が前記紙袋本体の前記壁面から剥離可能に若しくはこの下地紙片それ自体の層間で剥離可能とされていることを特徴とする紙袋。
【請求項２】
底部が閉鎖され且つ口部が開口した紙袋本体と、内容物充填後の前記紙袋本体から内容物を取り出すために開封する当該紙袋本体の口部端縁から一部が突出するように前記紙袋本体に設けられた閉鎖フラップと、この閉鎖フラップにおける前記紙袋本体の口部端縁から突出する前記閉鎖フラップの前記一部の表面に塗布された非水溶性のホットメルト接着剤と、前記閉鎖フラップを前記紙袋本体の前記口部端縁と共に折り曲げて対向する前記紙袋本体の一方の壁面に前記ホットメルト接着剤を再活性させて接着する際、前記壁面の前記閉鎖フラップが重なる部分に予め水溶性接着剤で貼着された下地紙片とから構成され、
この下地紙片が前記紙袋本体の前記壁面から剥離可能に若しくはこの下地紙片それ自体の層間で剥離可能とされていることを特徴とする紙袋。
【請求項３】
前記閉鎖フラップが前記紙袋の開封時に幅方向に引き切られた際、前記ホットメルト接着剤で接着されている残片が、水溶性接着剤で前記紙袋本体に接着されていることを特徴とする請求項１又は２に記載の紙袋。
【請求項４】
前記閉鎖フラップの切断手段が、開封テープであることを特徴とする請求項３に記載の紙袋。
【請求項５】
前記閉鎖フラップの切断手段が、カッターナイフ、その他の切断機器であることを特徴とする請求項３に記載の紙袋。
【請求項６】
前記紙袋本体の壁面に貼着された前記下地紙片が、前記紙袋本体の前記壁面側縁に位置する端部全体に剥離済み把手部を備えていることを特徴とする請求項１〜５に記載の紙袋。
【請求項７】
前記紙袋本体の壁面に貼着された前記下地紙片が、前記紙袋本体の前記壁面側縁に位置する角部に剥離済み摘み部を備えていることを特徴とする請求項１〜５に記載の紙袋。
【請求項８】
前記紙袋が、前記紙袋本体の両側部に断面Ｖ字型のひだ部が設けられているひだ付きの紙袋であることを特徴とする請求項１〜７のいずれかに記載の紙袋。
【請求項９】
前記紙袋本体の内部に、紙以外の材質で形成された内袋を備えていることを特徴とする請求項１〜８のいずれかに記載の紙袋。
【請求項１０】
前記内袋が樹脂フィルムで形成されていることを特徴とする請求項９に記載の紙袋。
【請求項１１】
前記内袋が金属性の薄いシート材料から形成されていることを特徴とする請求項９に記載の紙袋。
【発明の詳細な説明】
【０００１】
【発明の属する技術分野】
この発明は紙袋に関し、更に詳しくは内容物を取り出した後に当該紙袋を廃棄する際、リサイクル処理がし易いように改良された紙袋に関する。
【０００２】
【従来の技術】
従来、飼料、セメント、穀物、肥料或いは樹脂ペレット等（以下、「内容物」と称する）を入れて輸送するために使用される主にクラフト紙からなる紙袋は、内容物を充填した後に口部端を折り返して封緘する際、樹脂系のホットメルト接着剤を用いて折り返した口部端を対向する壁面に密着固定していた。
【０００３】
具体的には、例えばクラフト紙からなるひだ付きの階段切り紙袋は、少なくとも内容物を充填するための口部階段面に樹脂系のホットメルト接着剤が塗布乾燥されており、この紙袋を使用する際には、内容物をこの口部から充填した後に当該口部をトップシーラーと呼ばれている封緘機により封緘していた。
【０００４】
このトップシーラーは、口部の階段面に予め塗布されて冷却固化されているホットメルト接着剤に熱風を吹き付けて再活性させると共に階段切り端部を所定位置で折り曲げ、再活性したホットメルト接着剤で対向する壁面に張り合わせるものである。
【０００５】
ところで、このようなホットメルト接着剤は、封緘時まで乾燥固化しているため不用意に接着せず、しかも熱風を吹き付けるだけで簡単且つすぐに再活性し、しかも接着強度も非常に高く容易には剥がれないことから非常に便利な接着剤としてこの主の紙袋に多く使用されている。
【０００６】
【発明が解決しようとする課題】
しかしながら、近年、資源の節約化の観点から製品のリサイクル化の要請が高くなり、この種の紙袋についても例外ではなくなってきている。この種の紙袋は、前述したような内容物を充填して輸送に供した後は異物の混入を避けるために再使用はほとんどされず、通常焼却処分とされることが多かった。
【０００７】
しかし、最近のリサイクル化の要請で、このような紙袋も再生紙にする企画がなされているが、この紙袋の内容物充填口を封緘するために使用しているホットメルト接着剤がリサイクル化の障害になっていた。すなわち、使用済みの紙袋を再生紙にする場合には、この紙袋を水に溶解させる。
【０００８】
ところが、使用済みの紙袋には内容物充填口を封緘するために使用したホットメルト接着剤が付着している。このホットメルト接着剤としては、高分子化合物、例えば熱可塑性ポリマーが一般的であり、これを加熱溶融して使用している。このホットメルト接着剤である熱可塑性ポリマーは水に溶けず、そのため再生工程でフィルターにこのホットメルト接着剤が引っ掛かり、再生工程に障害を与えるという問題があった。
【０００９】
それでは、内容物充填口を封緘するために使用しているホットメルト接着剤として例えばポリビニルアルコール等の水溶性の接着剤を使用すればいいのであるが、通常、水溶性の接着剤は接着時に水の蒸発に時間がかかり、内容物充填時の封緘に使用する接着剤としては適さないのである。
【００１０】
加えて、このような水溶性の接着剤は、時間を掛けてしっかりと接着した場合でないと接着後即ち固化後も水に弱いという性質があるため、内容物充填後の紙袋を湿気の多い場所などで長期間保管すると封緘部が剥がれて内容物の漏れを起こすという重大な問題を招く恐れがある。
【００１１】
そのため、使用済み紙袋を再生する場合には、当該使用済み紙袋からホットメルト接着剤を除去する必要があるが、ホットメルト接着剤だけを使用済み紙袋から除去することは困難であるので、作業者がホットメルト接着剤の付着した紙袋の一部をカッターナイフ等で切り取ったり、或いは切断機を用いて部分的に切断して除去していた。
【００１２】
この種の紙袋のリサイクル処理に際しては、このようにホットメルト接着剤付着部分を紙袋から切り取って両者を分別し、ホットメルト接着剤が付着していない紙袋部分を水に溶解させていたが、使用済み紙袋からホットメルト接着剤付着部分を切り取って両者を分別する作業は容易ではなかった。そのため、この種の紙袋のリサイクル処理の準備に非常にコストが掛かるという問題を招いていた。
【００１３】
この発明の目的は、かかる従来の問題点を解決するためになされたもので、内容物充填口を封緘するのに非常に便利な、例えば熱可塑性ポリマーのような非水溶性のホットメルト接着剤を使用する場合でも、リサイクル処理の際にこのホットメルト接着剤付着部分を容易に除去することができる紙袋を提供することにある。
【００１４】
【課題を解決するための手段】
この発明の紙袋は、ひだ付き筒状体の一端及び他端のいずれか一方若しくは両方の端縁から一部が突出するように前記ひだ付き筒状体に設けられた閉鎖フラップで一端を閉鎖して底部とするか又は他端を口部として内容物充填後に当該口部を閉鎖する紙袋本体と、前記紙袋本体の端縁から突出する前記閉鎖フラップの前記一部の表面に塗布された非水溶性のホットメルト接着剤と、前記閉鎖フラップを前記紙袋本体端部と共に折り曲げて対向する前記紙袋本体の一方の壁面に前記ホットメルト接着剤を再活性させて接着する際、前記壁面の前記閉鎖フラップが重なる部分に予め水溶性接着剤で貼着された下地紙片とから構成され、この下地紙片が前記紙袋本体の前記壁面から剥離可能に若しくはこの下地紙片それ自体の層間で剥離可能とされていることを特徴とする。
【００１５】
また、この発明の紙袋では、底部が閉鎖され且つ口部が開口した紙袋本体と、内容物充填後の前記紙袋本体から内容物を取り出すために開封する当該紙袋本体の口部端縁から一部が突出するように前記紙袋本体に設けられた閉鎖フラップと、この閉鎖フラップにおける前記紙袋本体の口部端縁から突出する前記閉鎖フラップの前記一部の表面に塗布された非水溶性のホットメルト接着剤と、前記閉鎖フラップを前記紙袋本体の前記口部端縁と共に折り曲げて対向する前記紙袋本体の一方の壁面に前記ホットメルト接着剤を再活性させて接着する際、前記壁面の前記閉鎖フラップが重なる部分に予め水溶性接着剤で貼着された下地紙片とから構成され、この下地紙片が前記紙袋本体の前記壁面から剥離可能に若しくはこの下地紙片それ自体の層間で剥離可能とされていることを特徴とする。
【００１６】
また、この発明の紙袋では、前記閉鎖フラップが前記紙袋の開封時に幅方向に引き切られた際、前記ホットメルト接着剤で接着されている残片が、水溶性接着剤で前記紙袋本体に接着されていることを特徴とする。更に、この発明の紙袋では、紙袋本体の壁面に貼着された下地紙片が、紙袋本体の壁面側縁に位置する端部全体に剥離済み把手部を備え、又は角部に剥離済み摘み部を備えていることを特徴とする。更にまた、前記閉鎖フラップに開封テープが設けられていることを特徴とする。
【００１７】
これにより下地紙片を紙袋本体の壁面から剥がす時にその操作が非常にやりやすくなる。このような特徴を備える紙袋は、紙袋本体の両側部に断面Ｖ字型のひだ部が設けられているものに適用することができる。また、この発明の紙袋としては、紙袋本体の内部に、紙以外の材質で形成された内袋を設けることも好ましい。
この内袋としては、樹脂フィルムで形成されたものを挙げることができ、このような樹脂フィルム製内袋を備える紙袋は高い防湿性を備える。また、内袋を金属性の薄いシート材料から形成することもでき、このような紙袋は防湿性とガス遮断性を備える。
【００１８】
【発明の実施の形態】
以下、この発明の紙袋を図に示される実施形態について更に詳細に説明する。図１にはこの発明の一実施形態に係る紙袋１０が偏平状態で概略的に示されている。この実施形態に係る紙袋１０は、主にクラフト紙からなり、底部が閉鎖され且つ口部が開口したひだ付きの紙袋本体１１を備えている。
【００１９】
この紙袋本体１１は、両端が直線切りで形成され、その一端部は内容物充填用の口部とされ、他端部は定法に従って閉鎖されて底部とされている。この底部閉鎖部１２の構造は、紙袋本体１１の他端１１ｂを折り曲げ、この折り曲げられた紙袋本体１１の端部を跨ぐようにその全幅に亘る長さの当て紙１３で包囲し、この当て紙１３の両端部をそれぞれ紙袋本体１１の各壁面１１ｃ、１１ｄに水溶性の接着剤で接着して形成されている。
【００２０】
このような閉鎖底部１２は、この紙袋１０を製造する製袋メーカーで予め形成しておくため水溶性の接着剤で当て紙１３を貼り付けても水の蒸発に多少時間を掛けることができ、或いは十分な圧力を掛けてその接着を確実なものとすることができる。なお、紙袋本体１１の底部閉鎖部１２を構成する当て紙１３の内面には、その幅方向に亘って樹脂製の強靭な開封テープ１９が貼り付けられている。
【００２１】
一方、紙袋本体１１の一端部即ち口部端では、図２に示されるように閉鎖フラップ１４が口部端縁１１ａから紙袋本体１１の長手方向に沿う外方向へ突出して設けられている。具体的には、閉鎖フラップ１４の一端は、紙袋本体１１の口部端縁１１ａよりも若干長手方向中央寄りを通る折曲げ線１５よりも更に長手方向中央よりの位置で壁面１１ｄに水溶性の接着剤１６で接着されている。
【００２２】
この閉鎖フラップ１４における紙袋本体１１の口部端縁１１ａより突出する他端側部分の表面には例えば熱可塑性ポリマーのような合成樹脂系のホットメルト接着剤１７が塗布されて冷却固化されている。従って、このホットメルト接着剤１７は非水溶性の接着剤であり、速乾性があって接着強度も格段に高いが前述したように水には溶けない。
【００２３】
このような閉鎖フラップ１４において、紙袋本体１１の壁面１１ｄに水溶性接着剤１６で接着された一端の接着部からホットメルト接着剤１７の塗布部までの間には接着剤が塗布されておらず、従ってこの部分は紙袋本体１１に接着されていない。
【００２４】
この部分即ち接着剤が塗布されていない部分を便宜的に、閉鎖フラップ１４の「非接着部」と称し、図２において参照符号１８で示すことにする。この閉鎖フラップ１４の非接着部１８の内面には、その幅方向に亘って樹脂製の強靭な開封テープ１９が貼り付けられている。
【００２５】
他方、この閉鎖フラップ１４を紙袋本体１１の口部端縁１１ａと共に折曲げ線１５で折り曲げた時に、閉鎖フラップ１４における紙袋本体１１の口部端縁１１ａより突出する他端側部分が直接重なる紙袋本体１１の壁面１１ｃの領域と更にそれより若干中央よりの領域とには、下地紙片（下地紙テープ）２０（図１及び図５において影線で示される部分）が紙袋本体１１の全幅に亘って予め貼り付けられている。
【００２６】
この下地紙テープ２０は、紙袋本体１１の壁面１１ｃから剥離可能な澱粉系若しくはポリビニルアルコール等のような水溶性の接着剤２１により接着されている。図５に示されるように、前記下地紙テープ２０の紙袋本体１１の壁面側縁に位置する端部全体に剥離済み把手部２３が形成されている。このように広い面積の剥離済み把手部２３を形成することで、より確実に下地紙テープ２０は、その表面に閉鎖フラップ１４の残片１４ｂを貼り付けたまま壁面１１ｃから剥がされて除去される。この剥離済み把手部２３は、図に示す実施の形態では下地紙テープ２０の左端部に形成されているが、これに限定されるものではなく、右端部又は左右両端部に形成することができる。
【００２７】
又、前記下地紙テープ２０の紙袋本体１１の壁面側縁に位置する長手方向中央寄りの角部には、前記の剥離済み把手部２３の代わりに剥離済み摘み部２２を形成することができる。
この摘み部２２は、下地紙テープ２０において紙袋本体１１の長手方向中央寄りに位置する三角形状の角部のみを壁面１１ｃに未接着にして浮き上がらせておくことにより形成することができる。勿論、接着後にこの部分を剥離しておいてもよい。
【００２８】
次に、以上のように構成された本実施形態に係る紙袋１０の使用方法について説明する。今、この紙袋１０に口部端縁１１ａを開いて内部に内容物が所定量充填されたとする。その後、この紙袋１０の一端部における壁面１１ｄに一端が接着された閉鎖フラップ１４の他端側部分の表面に塗布されているホットメルト接着剤１７に熱風が吹き付けられて再活性させられる。
【００２９】
次いで、紙袋１０の一端部が折曲げ線１５から折り曲げられる。すなわち、図３に示されるように閉鎖フラップ１４が紙袋本体１１の口端部と共に折り曲げられ、紙袋本体１１の壁面１１ｃに重ねられる。しかし、閉鎖フラップ１４のホットメルト接着剤塗布部は紙袋本体１１の壁面１１ｃに直接重なるのではなく、下地紙テープ２０の表面上に重なって接着される。
【００３０】
すなわち、閉鎖フラップ１４を紙袋本体１１の口端部と共に折曲げ線１５から折り曲げた時に、閉鎖フラップ１４のホットメルト接着剤塗布部が重なるように設計された壁面１１ｃの領域に下地紙テープ２０が水溶性の接着剤２１で貼り付けられているため、閉鎖フラップ１４のホットメルト接着剤塗布部はこの下地紙テープ２０の表面上に重なって接着される。
【００３１】
このようにして本実施形態の紙袋１０の口部端は閉鎖即ち封緘される。この一連の封緘作業は、前述したように従来と同様にトップシーラーと称する封緘機をそのまま使用して行うことができる。しかも、閉鎖フラップ１４は従来通り熱可塑性ポリマーからなるホットメルト接着剤を使用しているため、速乾性があって接着強度も格段に高く、瞬時に紙袋１０の口部封緘を終了させることができる。
【００３２】
次に、上述のようにして封緘された紙袋１０の開封とリサイクル処理の準備について説明する。内容物が充填されて口部端が封緘された紙袋１０を開封する時には、図３に示される状態から開封テープ１９の一端を摘んでこれを強制的に引き上げ、閉鎖フラップ１４を幅方向に向かって線状に引き切る。
【００３３】
これにより、図４に示されるように閉鎖フラップ１４は２つに分かれ、一方は紙袋本体１１の壁面１１ｄに端部が接着された残片１４ａ、他方は紙袋本体１１の壁面１１ｃに端部が接着された残片１４ｂである。そして、前述したように閉鎖フラップ１４における両端側の接着部（一端の接着部とホットメルト接着剤塗布部との）間は非接着部１８であるので、紙袋本体１１の口端部は２つに分かれた閉鎖フラップ１４の残片１４ａ、１４ｂの間から出て、内容物の取り出しや排出を可能にする。
【００３４】
このようにして内容物が取り出された後の使用済み紙袋１０は、その後リサイクル処理に送られる。その際、リサイクル処理の前に、前述したように紙袋１０の封緘時に閉鎖フラップ１４を紙袋本体１１の壁面に貼り付けるために使用した非水溶性のホットメルト接着剤１７を除去しなければならない。
【００３５】
このホットメルト接着剤１７は、図４に示されるように閉鎖フラップ１４の残片１４ｂの端部が貼り付けられている下地紙テープ２０との接着部に存在しているため、この下地紙テープ２０ごと紙袋本体１１の壁面１１ｃから除去すればよい。
【００３６】
そこで、紙袋本体１１の長手方向中央寄りで露出している下地紙テープ２０の端部全体に形成されている把手部２３又は片側角部に形成されている摘み部２２を指で摘んでこれを引き上げる。すると、この下地紙テープ２０は、剥離し易い水糊のような接着剤２１で紙袋本体１１の壁面１１ｃに接着されているためこの接着部で剥離を起こし、表面に閉鎖フラップ１４の残片１４ｂを貼り付けたまま壁面１１ｃから剥がされて除去される。
【００３７】
これにより、紙袋本体１１の壁面１１ｃ、１１ｄに残っている接着剤はすべて水溶性のものとなり、そのため下地紙テープ２０を剥がした後の紙袋本体１１はすべて水に溶かすことができ、その結果リサイクル処理を行っても従来のような問題の発生はない。
【００３８】
前述したこの発明の実施形態に係る紙袋１０では、主としてひだ付き筒状体の一端口部に設けられた閉鎖フラップ１４について説明しているが、閉鎖フラップ１４の設置箇所は、これに限定されるものではなく、口部だけ又は底部だけでもよく、或いは口部と底部の両方に設けることができる。
そして、ひだ付き筒状体の端部に閉鎖フラップを設け、この閉鎖フラップをひだ付き筒状体端部と共に折り曲げ、且つ閉鎖フラップに塗布した非水溶性のホットメルト接着剤で壁面に接着して閉鎖（底部）する場合、或いは封緘（口部）する場合のいずれについても同様に適用することができる。
【００３９】
また、前述したこの発明の実施形態に係る紙袋１０では、前記閉鎖フラップに開封テープが設けられている例についてのものであるが、これに限定されるものではなく、この開封テープを設けない場合についても同様に適用することができる。開封テープを設けない場合には、カッターナイフ、その他の切断機器等の開封手段で開封される。
【００４０】
前述したこの発明の実施形態に係る紙袋１０では、下地紙テープ２０を剥離可能な水溶性接着剤で紙袋本体１１の壁面１１ｃに貼り付ける例についてのものであったが、この接着剤を水溶性ではあるが剥離し難いものとし、この下地紙テープ２０の材質を、それ自体の層間で剥離可能なものとすることによっても同様な効果を得ることができる。
【００４１】
また、前述したこの発明の実施形態に係る紙袋１０では、紙袋本体１１はひだ付きのものであったが、これに限定されるものではなく、どのような形の紙袋本体を用いてもよい。更に、この紙袋本体１１の内部にポリエチレン製の内袋を入れた防湿性紙袋やアルミ箔シートからなる内袋を入れた防湿性及びガス遮断性紙袋にも同様に適用することができる。
【００４２】
ただし、このような防湿性紙袋や防湿性及びガス遮断性紙袋については、前述したようにしてホットメルト接着剤を下地紙テープと共に紙袋本体から除去するだけではなく、内袋も取り除いた後にリサイクル処理に送ることは言うまでもない。内袋の紙袋本体からの除去については、従来から知られている特殊な除去手段を設けておけば容易に行うことができる。
【００４３】
【発明の効果】
以上説明したように、この発明の紙袋によれば、内容物充填口を封緘するのに非常に便利な、例えば熱可塑性ポリマーのような非水溶性のホットメルト接着剤を使用する場合でも、リサイクル処理の際にこのホットメルト接着剤付着部分を容易に除去することができる。
【図面の簡単な説明】
【図１】この発明の一実施形態に係る紙袋を偏平な状態で見た概略的な平面図である。
【図２】図１に示される実施形態の紙袋をＡ−Ａ線に沿って切断して口部の構造を部分的に示す概略的な縦断面図である。
【図３】図１に示される実施形態の紙袋の口部を折り曲げて封緘した状態を示す図２と同様な口部の概略的な縦断面図である。
【図４】図３に示される紙袋口部の封緘状態から開封した後の口部を状態を示す図２と同様な概略的な縦断面図である。
【図５】この発明の他の実施形態に係る紙袋を偏平な状態で見た概略的な平面図である。
【符号の説明】
１０  紙袋
１１  紙袋本体
１１ａ  口部端縁
１１ｂ  底部端
１１ｃ  壁面
１１ｄ  壁面
１２  底部閉鎖部
１３  当て紙
１４  閉鎖フラップ
１４ａ  閉鎖フラップを引き切った後の残片
１４ｂ  閉鎖フラップを引き切った後の残片
１５  折曲げ線
１６  水溶性の接着剤
１７  非水溶性のホットメルト接着剤
１８  非接着部
１９  開封テープ
２０  下地紙片
２１  水溶性の剥離容易な接着剤
２２  摘み部
２３  把手部
【図１】
0003653614.tif 000002
【図２】
0003653614.tif 000003
【図３】
0003653614.tif 000004
【図４】
0003653614.tif 000005
【図５】
0003653614.tif 000006